(57)【特許請求の範囲】
【請求項１】
内部に電気又はガスによる発熱部を備え、上面開口部に蓋体を被設した有底筒状の器体内に内鍋を収容し、内鍋で発生する蒸気を蓋体に貫設した蒸気孔を通して外部に排出せしめて成る炊飯器において、上記蓋体の上方を非密閉的に覆い、且つ蒸気孔から噴出する蒸気を受ける位置に、笠状のフードを一方向に傾斜させるようにして設けたことを特徴とする炊飯器。
【請求項２】
上記フードの後端部を器体の背面にスライド自在に係着することにより、不使用時にはフードを器体の背後に退避させるようにしたことを特徴とする請求項１記載の炊飯器。
【請求項３】
上記フードの下縁に形成した樋状部に、フードの下面に結露した水を貯溜せしめ、あるいは該樋状部により上記結露水を別途設けた露受け容器に案内せしめたことを特徴とする請求項１記載の炊飯器。
【請求項４】
上記フードを器体とは別体として形成すると共に、フードの基部に設けた磁石により、フードを蓋体上面に着脱可能としたことを特徴とする請求項１記載の炊飯器。
【請求項５】
上記フードの傾斜方向を複数の方向に選択可能としたことを特徴とする請求項１記載の炊飯器。
【請求項６】
上記蓋体を、蓋本体とその一端部にヒンジ結合されて、閉時には蓋本体の上面に密着するように構成されたフードとの二重構造としたことを特徴とする請求項１記載の炊飯器。
【発明の詳細な説明】
【０００１】
【産業上の利用分野】
本発明は、電気式あるいはガス式の炊飯器に関するものである。
【０００２】
【従来の技術】
近年家庭用炊飯器には、ふっくらとした炊き上がりを得るために、火力を強くして炊飯温度を高くしたものが多く見られる。また蒸気孔を小さくして内圧を高めることにより、炊飯温度を高くしたものもある。
【０００３】
【発明が解決しようとする課題】
上述のように炊飯温度を高くし、あるいは器内の圧力を高くした炊飯器では、炊き上がり前の数分間は、蒸気孔から噴出する蒸気の圧力が非常に高くなって、火傷の原因になったり、あるいは蒸気が天井面や吊り戸棚の底面等を直撃して結露し、かびや汚れの原因になり易いという問題があった。本発明はこれらの問題点を解消し、炊飯器から噴出する蒸気が家具等に結露したり、火傷の原因となったりするのを防止することを目的とするものである。
【０００４】
【課題を解決するための手段】
本発明は、図１〜３に示すように、内部に電気ヒータあるいはガスバーナ等の発熱部１を備え、上面開口部に蓋体２を被設した有底筒状の器体３内に内鍋４を収容し、内鍋４で発生する蒸気を蓋体２に貫設した蒸気孔５を通して外部に排出せしめて成る炊飯器において、上記蓋体２の上方を非密閉的に覆い、且つ蒸気孔５から噴出する蒸気を受ける位置に、笠状のフード６を一方向に傾斜させるようにして設けたものであり、蒸気孔５から噴出した直後の蒸気をフード６によって任意の方向へ誘導し、あるいはフード６に結露させて回収することにより、家具の汚れや火傷の原因となるのを防止した点に特長を有するものである。
【０００５】
請求項２は、図１〜２に示すように、フード６の後端部を器体３の背面にスライド自在に係着することにより、フード６を不使用時には器体３の背後に退避させることができるようにしたものであって、炊き上がり後にフード６が蓋体２の開閉の邪魔にならないようにしたものである。
請求項３は、図１に見られるように、フード６の周縁に形成した樋状部７に、フード６の下面に結露した水を貯溜せしめ、あるいはこの樋状部７により上記結露水を別途設けた着脱式の露受け容器８に案内させて、結露水を回収するようにしたものである。
【０００６】
請求項４は、図２に示すように、フード６を器体３あるいは蓋体２とは別体として形成すると共に、フード６の基部に設けた磁石９により、フード６を蓋体２の上面に着脱可能としたものであって、このようにすれば、使用後あるいは不必要なときにフード６を取り外しておくことができるので、邪魔にならず外観もすっきりする。また請求項５は、同じく図２に示すように、フード６の傾斜方向を任意の方向に選択可能としたものであって、炊飯器から発生する蒸気をガスコンロの上方に設けられているレンジフードの方向へ誘導できるようにしたものである。
【０００７】
更に請求項６は、図３に示すように、蓋体２を蓋本体２ａと、その一端部にヒンジ１０で結合されて、閉時には蓋本体の上面に密着するように構成されたフード６との二重構造としたものであって、フード６の取り扱いを簡便にすると同時に、その収納場所をできるだけすっきりさせたものである。
【０００８】
【発明の実施の形態】
図１は本発明の一実施例を示したもので、炊飯器は有底筒状の器体３の底部にガスバーナ１が装備され、器体３の上面開口部に蓋体２が被設されて、この器体３内に内鍋４が収容されるようになっており、内鍋４の上面開口部には、蓋体２の下面に取り付けられた内蓋（図示せず）が被着されるようになっている。内鍋４で発生する蒸気は蓋体２に貫設された蒸気孔５を通して外部に排出されるようになっており、笠状のフード６は一端部で器体３に回動自在に支持されて、使用時には蓋体２の上方を非密閉的に覆い、且つ蒸気孔５から噴出する蒸気を受ける位置（図１の実線の位置）まで引き出されるようになっている。
【０００９】
図１の実施例では、フード６はその基端部に固定された突起１１が器体３の背面に設けられたガイド溝１２に案内されて、不使用時には器体３の背後に退避させることができるように、すなわち出入自在に形成されている。またフード６の周縁には樋状部７が形成されており、フード６の下面に結露した水がこの樋状部７に溜められ、あるいはこの樋状部７により結露水が器体３の背面に挿着されている露受け容器８に案内されて、ここに溜められる。なお露受け容器８は着脱自在で、簡単に取り外して溜まった結露水を捨てることができるようになっている。図中１３はガスバーナの排気口である。
【００１０】
図２は本発明の他の実施例を示したもので、フード６を器体３あるいは蓋体２に連詰せずに別体として形成すると共に、フード６をその基部に設けた磁石９によって蓋体２の上面に着脱できるようにしたものである。このようにすれば、炊飯完了後はフード６を取り外しておくことができるので、作業の邪魔にならない上に外観もすっきりし、また炊飯器の上方に蒸気が結露するような吊り戸棚等がなく、フード６が不必要な場合にも都合がよい。
また図２の構成によれば、フード６が一方向に傾斜しており、且つこの傾斜方向を自由に選択することができるので、炊飯器から発生する蒸気を家具のない方向へ誘導し、あるいは近傍に設けられているガスコンロ上方のレンジフードの方向へ誘導することができる。
【００１１】
図３は本発明の更に他の実施例を示したもので、蓋体２を蓋本体２ａと、その一端部にヒンジ１０により開閉自在に結合されて蓋本体２ａの上面を覆い、且つ閉じられた状態では蓋本体２ａに密着するように構成されたフード６との二重構造としたものである。このようにすれば、フード６の取り扱いが簡単になり、またその収納状態もすっきりする。なおフード６を蓋本体２ａに密着させた状態で炊飯が行われないように、フード６を閉じた状態では炊飯を開始することができないような安全機構、例えば閉状態ではフード６の一部で炊飯スイッチが隠されるような構成を施すのが望ましい。
【図面の簡単な説明】
【図１】本発明の一実施例の断面図。
【図２】本発明の他の実施例の斜視図。
【図３】本発明の更に他の実施例の斜視図。
【符号の説明】
１    ガスバーナ
２    蓋体
２ａ  蓋本体
３    器体
４    内鍋
５    蒸気孔
６    フード
７    樋状部
８    露受け容器
９    磁石
１０  ヒンジ
１１  突起
１２  ガイド溝
１３  排気口
【図１】
0003921021.tif 000002
【図２】
0003921021.tif 000003
【図３】
0003921021.tif 000004